(57)【要約】【課題】患者に対する負担を考慮して適切な面会場所を選択することのできる面会場所選択プログラム、面会場所選択装置、及び面会場所選択方法の提供を目的とする。【解決手段】コンピュータに、患者に対する新たな見舞客の人数の入力を受け付ける見舞客情報入力手順と、同時に収容可能な見舞客の人数を示す同時収容可能人数が病室ごとに記録されている記憶装置より、前記患者の病室の前記同時収容可能人数を取得する第一の同時収容可能人数取得手順と、面会中の見舞客の人数を示す面会中人数が病室ごとに記録されている記憶装置より、前記患者の病室の前記面会中人数を取得する第一の面会中人数取得手順と、前記患者の病室の前記面会中人数と前記新たな見舞客の人数との合計が、前記患者の病室の前記同時収容可能人数以下のときに前記患者の病室を面会場所として選択する面会場所選択手順とを実行させることにより上記課題を解決する。【選択図】図８
2008225834.tif 000002
【特許請求の範囲】
【請求項１】
コンピュータに、
患者に対する新たな見舞客の人数の入力を受け付ける見舞客情報入力手順と、
同時に収容可能な見舞客の人数を示す同時収容可能人数が病室ごとに記録されている記憶装置より、前記患者の病室の前記同時収容可能人数を取得する第一の同時収容可能人数取得手順と、
面会中の見舞客の人数を示す面会中人数が病室ごとに記録されている記憶装置より、前記患者の病室の前記面会中人数を取得する第一の面会中人数取得手順と、
前記患者の病室の前記面会中人数と前記新たな見舞客の人数との合計が、前記患者の病室の前記同時収容可能人数以下のときに前記患者の病室を面会場所として選択する面会場所選択手順とを実行させるための面会場所選択プログラム。
【請求項２】
同時に収容可能な見舞客の人数を示す同時収容可能人数が面会用スペース用ごとに記録されている記憶装置より、前記面会用スペースの前記同時収容可能人数を取得する第二の同時収容可能人数取得手順と、
現在面会中の見舞客の人数を示す面会中人数が前記面会用スペースごとに記録されている記憶装置より、前記面会用スペースの前記面会中人数を取得する第二の面会中人数取得手順とを有し、
前記面会場所選択手順は、前記患者の病室を面会場所として選択しないときに、前記面会用スペースの前記面会中人数と前記新たな見舞客の人数との合計が、前記面会用スペースの前記同時収容可能人数以下の前記面会用スペースを面会場所として選択することを特徴とする請求項１記載の面会場所選択プログラム。
【請求項３】
所定の期間において収容可能な見舞客の累積人数を示す累積収容可能人数が病室ごとに記録されている記憶装置より、前記患者の病室の前記累積収容可能人数を取得する累積収容可能人数取得手順と、
前記所定の期間において前記新たな見舞客より前の見舞客の累積人数を特定可能な情報が面会場所ごとに記録されている記憶装置より、前記患者の病室の見舞客の累積人数を特定可能な情報を取得する病室累積人数取得手順とを有し、
前記面会場所選択手順は、前記患者の病室の前記見舞客の累積人数と前記新たな見舞客の人数との合計値が、前記患者の病室の前記累積収容人数を超えるときは、前記患者の病室を面会場所としないことを特徴とする請求項１又は２記載の面会場所選択プログラム。
【請求項４】
患者に対する新たな見舞客の人数の入力を受け付ける見舞客情報入力手段と、
同時に収容可能な見舞客の人数を示す同時収容可能人数が病室ごとに記録されている記憶装置より、前記患者の病室の前記同時収容可能人数を取得する第一の同時収容可能人数取得手段と、
面会中の見舞客の人数を示す面会中人数が病室ごとに記録されている記憶装置より、前記患者の病室の前記面会中人数を取得する第一の面会中人数取得手段と、
前記患者の病室の前記面会中人数と前記新たな見舞客の人数との合計が、前記患者の病室の前記同時収容可能人数以下のときに前記患者の病室を面会場所として選択する面会場所選択手段とを有することを特徴とする面会場所選択装置。
【請求項５】
コンピュータが実行する面会場所選択方法であって、
患者に対する新たな見舞客の人数の入力を受け付ける見舞客情報入力手順と、
同時に収容可能な見舞客の人数を示す同時収容可能人数が病室ごとに記録されている記憶装置より、前記患者の病室の前記同時収容可能人数を取得する第一の同時収容可能人数取得手順と、
面会中の見舞客の人数を示す面会中人数が病室ごとに記録されている記憶装置より、前記患者の病室の前記面会中人数を取得する第一の面会中人数取得手順と、
前記患者の病室の前記面会中人数と前記新たな見舞客の人数との合計が、前記患者の病室の前記同時収容可能人数以下のときに前記患者の病室を面会場所として選択する面会場所選択手順とを有することを特徴とする面会場所選択方法。
【発明の詳細な説明】
【技術分野】
【０００１】
本発明は、面会場所選択プログラム、面会場所選択装置、及び面会場所選択方法に関し、特に見舞客と患者との病院における面会場所を選択する面会場所選択プログラム、面会場所選択装置、及び面会場所選択方法に関する。
【背景技術】
【０００２】
病院に訪れる見舞客は、通常、入院患者の病室や面会用に設けられたスペース（面会用スペース）において当該患者と面会することができる。
【特許文献１】特開２００５−３８２６５号公報
【発明の開示】
【発明が解決しようとする課題】
【０００３】
しかしながら、病室が相部屋の場合、多数の見舞客が同時に病室を訪れた場合、病室内が騒がしくなり、他の患者が迷惑するという問題があった。また、同時でなくても一日のうちに他の患者の見舞客も含めて多数の見舞客が病室に訪れると、患者が疲れてしまうとうい問題があった。
【０００４】
斯かる事態に鑑みて面会用スペースが設けられているが、面会用スペースに関しても、多数の人数が集中すると騒がしくなり、患者に対する精神的又は肉体的な負担が大きくなってしまうという問題があった。
【０００５】
本発明は、上記の点に鑑みてなされたものであって、患者に対する負担を考慮して適切な面会場所を選択することのできる面会場所選択プログラム、面会場所選択装置、及び面会場所選択方法の提供を目的とする。
【課題を解決するための手段】
【０００６】
そこで上記課題を解決するため、本発明は、コンピュータに、患者に対する新たな見舞客の人数の入力を受け付ける見舞客情報入力手順と、同時に収容可能な見舞客の人数を示す同時収容可能人数が病室ごとに記録されている記憶装置より、前記患者の病室の前記同時収容可能人数を取得する第一の同時収容可能人数取得手順と、面会中の見舞客の人数を示す面会中人数が病室ごとに記録されている記憶装置より、前記患者の病室の前記面会中人数を取得する第一の面会中人数取得手順と、前記患者の病室の前記面会中人数と前記新たな見舞客の人数との合計が、前記患者の病室の前記同時収容可能人数以下のときに前記患者の病室を面会場所として選択する面会場所選択手順とを実行させることを特徴とする。
【０００７】
このような面会場所選択プログラムでは、患者に対する負担を考慮して適切な面会場所を選択することができる。
【発明の効果】
【０００８】
本発明によれば、患者に対する負担を考慮して適切な面会場所を選択することのできる面会場所選択プログラム、面会場所選択装置、及び面会場所選択方法を提供することができる。
【発明を実施するための最良の形態】
【０００９】
以下、図面に基づいて本発明の実施の形態を説明する。図１は、本発明の実施の形態における面会場所選択装置の機能構成例を示す図である。図１において、面会場所選択装置１０は、見舞客と入院患者との病棟内における面会場所を選択する装置であり、受診部１１１、送信部１１２、見舞客管理部１２１、見舞履歴管理部１２２、面会場所選択部１２３、返却部１２４、入力部１３１、出力部１３２、病室ＤＢ（Data Base）１４１、面会用スペースＤＢ１４２、入院患者ＤＢ１４３、見舞履歴ＤＢ１４４、及び見舞客管理ＤＢ１４５等を有する。
【００１０】
受信部１１及び送信部１１２は、見舞客用端末２０や入院患者用端末３０との通信を担う。見舞客管理部１２１は、見舞客管理ＤＢ１４５のアクセス制御を行う。見舞履歴管理部１２２は、見舞履歴ＤＢ１４４のアクセス制御を行う。面会場所選択部１２３は、見舞客と患者との面会場所を選択する。返却部１２４は、見舞客に貸与される見舞客用端末２０が返却された際の処理を実行する。
【００１１】
入力部１３１は、入力装置からの入力を受け付ける。出力部は、例えば、表示装置等の情報の出力を制御する。
【００１２】
病室ＤＢ１４１は、病室に関する各種情報を管理するデータベースである。図２は、病室ＤＢの構成例を示す図である。図２において、病室ＤＢ１４１は、病室ごとに、病室ＩＤ，病棟、階、見舞容量、履歴容量、及び病室場所画像等の情報を管理する。
【００１３】
病室ＩＤは、病室ごとに一意に割り当てられたＩＤ（識別情報）である。病棟は、病室が配置されている病棟の名前である。階は、病棟において病室が配置されている階（フロア）である。病棟及び階によって病室の位置を識別するための位置情報が構成される。見舞容量は、病室が一度に（同時に）収容可能な、又は収容を許可する見舞客の人数である。履歴容量は、病室が所定期間（本実施の形態では、一日）において収容可能な、又は収容を許可する見舞客の延べ人数（累積数）である。病室場所画像は、病室の場所（位置）を示す画像データである。
【００１４】
面会用スペースＤＢ１４２は、病棟において、見舞客と入院患者との面会用に設けられたスペース（面会用スペース）に関する各種情報を管理するデータベースである。図３は、面会用スペースＤＢの構成例を示す図である。図３において、面会用スペースＤＢ１４２は、面会用スペースごとに、面会用スペースＩＤ、病棟、階、場所案内画像、及び見舞容量等の情報を管理する。
【００１５】
面会用スペースＩＤは、面会用スペースごとに一意に割り当てられたＩＤである。病棟は、面会用スペースが配置されている病棟の名前である。階は、病棟において面会用スペースが配置されている階である。病棟及び階によって面会用スペースの位置を識別するための位置情報が構成される。場所案内画像は、面会用スペースの場所（位置）を示す画像データである。見舞容量は、面会用スペースが一度に（同時に）収容可能な、又は収容を許可する見舞客の人数である。
【００１６】
入院患者ＤＢ１４３は、入院患者に関する情報を管理するデータベースである。図４は、入院患者ＤＢの構成例を示す図である。図４において、入院患者ＤＢ１４３は、入院患者ごとに、患者ＩＤ及び病室ＩＤ等を管理する。患者ＩＤは、入院患者ごとに一意に割り当てられたＩＤである。病室ＩＤは、入院患者が収容されている病室の病室ＩＤである。
【００１７】
見舞履歴ＤＢ１４４は、入院患者に対する見舞いの履歴を管理するデータベースである。図５は、見舞履歴ＤＢの構成例を示す図である。図５において、見舞履歴ＤＢ１４４は、見舞いごとに、日付、病室ＩＤ、患者ＩＤ、見舞人数、面会状態等の情報を管理する。日付は、見舞いが行われた日付である。病室ＩＤは、見舞いを受けた患者の病室の病室ＩＤである。なお、病室ＩＤは、必ずしも面会が行われた場所（面会場所）を識別するものではない。患者ＩＤは、見舞いを受けた患者の患者ＩＤである。見舞人数は、見舞客の人数である。面会状態は、見舞いによる面会の状態を識別するための情報であり、「面会中」又は「済」の値を取り得る。「面会中」は、面会中であることを示す。「済」は、面会が終了したことを示す。
【００１８】
見舞客管理ＤＢ１４５は、現在において患者と面会中の見舞客の情報を管理するデータベースである。図６は、見舞客管理ＤＢの構成例を示す図である。図６において、見舞客管理ＤＢ１４５は、見舞客ごとに、見舞客ＩＤ、患者ＩＤ、面会場所、及び見舞人数等の情報を管理する。
【００１９】
見舞客ＩＤは、見舞客ごとに一意に割り当てられるＩＤである。なお、本実施の形態では、見舞客が複数人のグループの場合、当該グループに対して一つの見舞客ＩＤが割り当てられる。患者ＩＤは、見舞いを受けている患者の患者ＩＤである。面会場所は、見舞客が患者と面会を行っている場所を識別するための情報であり、面会が病室で行われている場合は病室ＩＤが、面会用スペースで行われている場合は面会用スペースＩＤが登録される。見舞人数は、見舞客の人数である。
【００２０】
なお、面会場所判定装置１０を構成する各機能は、一台のコンピュータ内に実装されている必要はない。例えば、各データベースがネットワークを介した記憶装置に記録されているといったように、周知の技術を用いて各機能をネットワークを介して分散させてもよい。
【００２１】
一方、見舞客用端末２０は、電子ペーパー、ＰＤＡ（Personal Digital Assistance）、又は携帯電話等、病院の受け付け等において見舞客に貸与される携帯用端末である。但し、見舞客用端末２０は、見舞客が所有しているものを用いてもよい。
【００２２】
入院患者用端末３０は、入院患者の病室に配置された端末である。入院患者用端末３０は、病室ごとに一台配置されていてもよいし、入院患者ごとに（例えば、ベッドの脇等に）一台配置されていてもよい。なお、見舞客用端末２０及び入院患者用端末３０は、少なくとも通信機能と表示機能とを備えていればよい。
【００２３】
図７は、本発明の実施の形態における面会場所選択装置のハードウェア構成例を示す図である。図７の面会場所選択装置１０は、それぞれバスBで相互に接続されているドライブ装置１００と、補助記憶装置１０２と、メモリ装置１０３と、演算処理装置１０４と、インタフェース装置１０５と、表示装置１０６と、入力装置１０７とを有するように構成される。
【００２４】
面会場所選択装置１０での処理を実現するプログラムは、ＣＤ−ＲＯＭ等の記録媒体１０１によって提供される。プログラムを記録した記録媒体１０１がドライブ装置１００にセットされると、プログラムが記録媒体１０１からドライブ装置１００を介して補助記憶装置１０２にインストールされる。補助記憶装置１０２は、インストールされたプログラムを格納すると共に、必要なファイルやデータ等を格納する。例えば、補助記憶装置１０２には、病室ＤＢ１４１、面会用スペースＤＢ１４２、入院患者ＤＢ１４３、見舞履歴ＤＢ１４４、及び見舞客管理ＤＢ１４５等のデータベースが記録されている。
【００２５】
メモリ装置１０３は、プログラムの起動指示があった場合に、補助記憶装置１０２からプログラムを読み出して格納する。演算処理装置１０４は、メモリ装置１０３に格納されたプログラムに従って面会場所選択装置１０に係る機能を実現する。インタフェース装置１０５は、ネットワークに接続するためのインタフェースとして用いられる。表示装置１０６はプログラムによるＧＵＩ（Graphical User Interface）等を表示する。入力装置１０７はキーボード及びマウス等で構成され、様々な操作指示を入力させるために用いられる。
【００２６】
なお、プログラムのインストールは必ずしも記録媒体１０１より行う必要はなく、ネットワークを介して他のコンピュータよりダウンロードするようにしてもよい。
【００２７】
以下、面会場所選択装置１０の処理手順について説明する。図８は、面会場所選択装置の処理を説明するためのフローチャートである。
【００２８】
新たな見舞客の受け付け時に、入力部１３１は、当該見舞客が面会を希望する患者の患者ＩＤと（Ｓ１０１）、見舞客の情報との入力を受け付ける（Ｓ１０２）。当該入力は、例えば、病院の受け付けの職員によって行われる。見舞客の情報としては、少なくとも見舞客の人数（見舞人数）が入力される。なお、見舞客には、受け付け時に見舞客用端末２０が貸与される。
【００２９】
続いて、見舞客管理部１２１は、見舞客に対する見舞客ＩＤを作成し、当該見舞客ＩＤに係るレコードを見舞客管理ＤＢ１４５に登録する（Ｓ１０３）。続いて、面会場所選択部１２３は、見舞客と患者との面会場所を選択する（Ｓ１０４）。面会場所の選択処理の詳細については後述する。
【００３０】
続いて、面会場所の選択に応じて確定した情報等が見舞客管理ＤＢ１４５及び見舞履歴ＤＢ１４４に登録される（Ｓ１０５、Ｓ１０６）。見舞客管理ＤＢ１４５（図６）には、見舞客管理部１２１が、ステップＳ１０３において作成されたレコードに、患者ＩＤ、面会場所、及び見舞人数を登録する。また、見舞履歴ＤＢ１４４（図５）には、見舞履歴管理部１２２が、新たなレコードを作成し、当該レコードに、日付、病室ＩＤ，患者ＩＤ、見舞人数、及び面会状態を登録する。この際、面会状態には、「面会中」が登録される。
【００３１】
続いて、送信部１１２は、見舞客用端末２０に、面会場所の画像データと見舞客ＩＤとを送信する（Ｓ１０７、Ｓ１０８）。見舞客用端末２０では、見舞客ＩＤが記録されると共に、面会場所の画像データが表示される。なお、面会場所の画像データは、ステップＳ１４５において見舞客管理ＤＢ１４５の面会場所に登録された、病室ＩＤ又は面会用スペースＩＤに基づいて、病室ＤＢ１４１において当該病室ＩＤに係る病室場所画像、又は当
該面会用スペースＩＤに係る面会用スペースＤＢ１４２の場所案内画像が表示対象とされる。
【００３２】
図９は、見舞客用端末における面会場所の画像データの表示例を示す図である。図９における見舞客用端末２０の表示画面２１０には、領域２１１、領域２１２、領域２１３に、患者の指名、見舞客ＩＤ、面会場所の画像データが表示されている。面会場所の画像データ上では、矢印２１３１によって見舞客の現在位置（例えば、受け付け等）が示され、矢印２１３２によって面会場所が示されている。表示画面２１０を参照することで、見舞客は面会場所を容易に把握することができる。
【００３３】
同様に、送信部１１２は、面会場所の画像データを入院患者用端末３０に送信する（Ｓ１０９）。したがって、入院患者用端末３０においても、図９に示されるものと同様の画像データが表示される。これにより、患者は、自分に見舞客が来たこと、及び面会場所を把握することができる。
【００３４】
その後、見舞客と患者との面会が終了し、例えば、受け付け等において見舞客用端末２０が返却されると、返却部１２４等によって返却処理が実行される（Ｓ１１０）。返却処理の詳細については後述する。
【００３５】
続いて、ステップＳ１０４における面会場所の選択処理の詳細について説明する。図１０、図１１、及び図１２は、面会場所選択処理を説明するためのフローチャートである。
【００３６】
ステップＳ２０１において、面会場所選択部１２３は、新たに見舞客が来院した患者（以下、「カレント患者」という。）の患者ＩＤを検索キーとして当該患者の病室（以下、「カレント病室」という。）の病室ＩＤを取得する。続いて、面会場所選択部１２３は、取得した病室ＩＤに係るレコード（以下「レコードＡ」という。）を見舞履歴ＤＢ１４４より抽出する（Ｓ２０２）。続いて、面会場所選択部１２３は、レコードＡより、当日の日付で、かつ、面会状態が面会中のレコード（以下「レコードＢ」という。）を抽出する（Ｓ２０３）。続いて、面会場所選択部１２３は、レコードＢの見舞人数の総和を算出する（Ｓ２０４）。当該総和は、現在面会中の見舞客の総数（以下、「現状見舞客人数」という。）に相当する。なお、新たに来院した見舞客（以下、「カレント見舞客」という。）の人数は、現状見舞客数には含まれていない。
【００３７】
続いて、面会場所選択部１２３は、カレント病室の見舞容量を病室ＤＢＤＢ１４１（図２）より取得する（Ｓ２０５）。続いて、面会場所選択部１２３は、取得された見舞容量と、現状見舞客人数とカレント見舞客の人数との和（合計）とを比較する（Ｓ２０６）。
【００３８】
現状見舞客人数とカレント見舞客の人数との和が、見舞容量以下である場合（Ｓ２０６でＹｅｓ）、面会場所選択部１２３は、レコードＡ（見舞履歴ＤＢ１４４においてカレント患者の病室ＩＤに係るレコード）より当日の日付のレコード（以下、「レコードＣ」という。）を抽出する（Ｓ２０７）。続いて、面会場所選択部１２３は、レコードＣの見舞人数の総和を算出する（Ｓ２０８）。当該総和は、カレント患者の病室における当日の見舞客の合計人数（延べ人数又は累積数）に相当する。続いて、面会場所選択部１２３は、病室ＤＢ（図２）において、カレント病室の履歴容量を取得する（Ｓ２０９）。続いて、面会場所選択部１２３は、取得された履歴容量と、延べ人数とカレント見舞客の人数との和（合計）とを比較する（Ｓ２１０）。
【００３９】
延べ人数とカレント見舞客の人数との和が、履歴容量以下である場合（Ｓ２１０でＹｅｓ）、面会場所選択部１２４は、当該病室ＩＤに係る病室（すなわち、カレント患者の病室）を面会場所として選択する（Ｓ２１１）。
【００４０】
一方、ステップＳ２０６において、現状見舞客人数とカレント見舞客の人数との和が見舞容量を超える場合（Ｓ２０６でＮｏ）、又はステップＳ２１０において、延べ人数とカレント見舞客の人数との和が、履歴容量を超える場合（Ｓ２１０でＮｏ）、ステップＳ２１２に進み、面会場所選択部１２３は、病室ＤＢ１４１（図２）より、カレント病室の病棟及び階を取得する。続いて、面会場所選択部１２３は、カレント病室の病棟及び階と同じ病棟及び階に属するレコード（面会用スペース）を面会用スペースＤＢ１４２（図３）より検索する（Ｓ２１３）。続いて、ステップＳ２１４からステップＳ２１９は、検索されたレコードごとに実行される。
【００４１】
面会場所選択部１２３は、一つのレコード（面会用スペース）を処理対象とし、当該レコードの面会用スペースＩＤを取得する（Ｓ２１４）。続いて、面会場所選択部１２３は、取得した面会用スペースＩＤを面会場所とするレコードを見舞客管理ＤＢ１４５（図６）より抽出する（Ｓ２１５）。続いて、面会場所選択部１２３は、見舞客管理ＤＢ１４５より抽出されたレコードの見舞人数の総和を算出する（Ｓ２１６）。続いて、面会場所選択部１２３は、処理対象のレコード（面会用スペース）の見舞容量を取得する。続いて、面会場所選択部１２３は、取得された見舞容量と、現状見舞客人数とカレント見舞客の人数との和（合計）とを比較する（Ｓ２１８）。
【００４２】
現状見舞客人数とカレント見舞客の人数との和が、見舞容量以下である場合（Ｓ２１８でＹｅｓ）、面会場所選択部１２３は、処理対象のレコードに係る面会用スペースを面会場所として選択する（Ｓ２２０）。一方、現状見舞客人数とカレント見舞客の人数との和が見舞容量を超える場合（Ｓ２１８でＮｏ）、次のレコードに係る面会用スペースについて、ステップＳ２１４からＳ２１８を実行する（Ｓ２１９）。すなわち、カレント病室と同じ病棟及び同じ階の面会用スペースにおいて、見舞容量に鑑みて面会可能な場所を探す。なお、同じ病棟及び同じ階において、面会可能な面会用スペースが無かった場合、同じ病棟で異なる階の面会用スペースを探すようにすればよい。この場合、カレント病室に近い階から順に検索対象とすればよい。患者の病室と近い面会用スペースを優先的に面会場所として選択することで、患者の移動距離を減少させることができ、患者に対する負担を軽減することができる。
【００４３】
続いて、ステップＳ１１０における返却処理の詳細について説明する。図１３は、返却処理を説明するためのフローチャートである。
【００４４】
見舞客と患者との面会が終了し、例えば、受け付け等において見舞客用端末２０が返却されると、返却部１２４は、受信部１１１を介して、見舞客用端末２０より、見舞客ＩＤを取得する（Ｓ３０１）。当該見舞客ＩＤは、ステップＳ１０８において見舞客用端末２０に送信され、記録されたものである。続いて、返却部１２４は、取得された見舞客ＩＤに対応する患者ＩＤを見舞客管理ＤＢ１４５（図６）より取得し（Ｓ３０２）、当該見舞客ＩＤ又は当該患者ＩＤに係るレコードを見舞客管理ＤＢ１４５より削除する（Ｓ３０３）。見舞客管理ＤＢ１４５では、現在面会中に係る情報のみが管理されるからである。続いて、返却部１２４は、当該患者ＩＤに係るレコードを見舞履歴ＤＢ１４４（図５）より検索し、当該レコードの面会状態を「済」に変更する（Ｓ３０４）。
【００４５】
上述したように、本実施の形態における面会場所選択装置１０によれば、病室内で面会する見舞客の人数や、面会用スペースにおける見舞客の人数を適切に制限されるよう面会場所を選択する。したがって、病室や面会用スペースが混雑し、騒がしくなったりすることを防止することができ、患者に対する負担を軽減することができ、また、他の患者に対する迷惑を軽減することができる。
【００４６】
また、一日の延べ人数によっても、見舞客の人数が制限されるため、一日を通して多数の見舞客が訪れることによる患者の負担を軽減することができる。
【００４７】
なお、本実施の形態では、見舞客用端末２０や入院患者用端末３０に面会場所を示す画像データを表示する例を示したが、必ずしもこれらの端末を用いなくても良い。例えば、面会場所判定装置１０にプリンタを接続し、当該プリンタによって面会場所を示す画像データを印刷し、その印刷物を見舞客や患者に手渡すようにしてもよい。
【００４８】
以上、本発明の実施例について詳述したが、本発明は斯かる特定の実施形態に限定されるものではなく、特許請求の範囲に記載された本発明の要旨の範囲内において、種々の変形・変更が可能である。
【図面の簡単な説明】
【００４９】
【図１】本発明の実施の形態における面会場所選択装置の機能構成例を示す図である。
【図２】病室ＤＢの構成例を示す図である。
【図３】面会用スペースＤＢの構成例を示す図である。
【図４】入院患者ＤＢの構成例を示す図である。
【図５】見舞履歴ＤＢの構成例を示す図である。
【図６】見舞客管理ＤＢの構成例を示す図である。
【図７】本発明の実施の形態における面会場所選択装置のハードウェア構成例を示す図である。
【図８】面会場所選択装置の処理を説明するためのフローチャートである。
【図９】見舞客用端末における面会場所の画像データの表示例を示す図である。
【図１０】面会場所選択処理を説明するためのフローチャートである。
【図１１】面会場所選択処理を説明するためのフローチャートである。
【図１２】面会場所選択処理を説明するためのフローチャートである。
【図１３】返却処理を説明するためのフローチャートである。
【符号の説明】
【００５０】
１０      面会場所選択装置
２０      見舞客用端末
３０      入院患者用端末
１００    ドライブ装置
１０１    記録媒体
１０２    補助記憶装置
１０３    メモリ装置
１０４    演算処理装置
１０５    インタフェース装置
１１１    受診部
１１２    送信部
１２１    見舞客管理部
１２２    見舞履歴管理部
１２３    面会場所選択部
１２４    返却部
１３１    入力部
１３２    出力部
１４１    病室ＤＢ
１４２    面会用スペースＤＢ
１４３    入院患者ＤＢ
１４４    見舞履歴ＤＢ
１４５    見舞客管理ＤＢ
Ｂ        バス
【図１】
2008225834.tif 000003
【図２】
2008225834.tif 000004
【図３】
2008225834.tif 000005
【図４】
2008225834.tif 000006
【図５】
2008225834.tif 000007
【図６】
2008225834.tif 000008
【図７】
2008225834.tif 000009
【図８】
2008225834.tif 000010
【図９】
2008225834.tif 000011
【図１０】
2008225834.tif 000012
【図１１】
2008225834.tif 000013
【図１２】
2008225834.tif 000014
【図１３】
2008225834.tif 000015